(57)【要約】【課題】  植物の育成用に一定濃度の二酸化炭素や酸素を供給するため、二酸化炭素や酸素の圧力調整器のダイアフロムの受圧板の押し込み量を一定値に保持する補助具を有する圧力調整器を提供する。【解決手段】  本体１ａ内の圧力調整用のダイアフラム２の受圧板の背後のスプリング４と、スプリング４を内蔵する筒状のカバー５と、その背後に配設されスプリング４を押すスプリング押し板６と、筒状のカバー５背面を形成のキャップ７の中央に開口の雌ねじ孔に雄ねじ９を有し、雄ねじ９の先端をスプリング押し板６に当接して背後から押し込み、その後端をキャップ７の背面から外部に突出させ、雄ねじ９の後端をハンドル１０に固定し、キャップ７とハンドル１０の間の雄ねじ９にその軸径より太い内径の一定長の筒状リング１１を嵌合し、雄ねじ９のねじ込み量を一定値に規制したガス圧力調整器１。【選択図】      図２
0003139244.tif 000002
【実用新案登録請求の範囲】
【請求項１】
筒状の本体（１ａ）内に装着した圧力調整用のダイアフラム（２）の受圧板（３）の背後に配設のスプリング（４）と、スプリング４を内蔵する筒状のカバー（５）と、筒状のカバー（５）の背後に配設されてスプリング（４）を背後から押すスプリング押し板（６）と、筒状のカバー（５）の背面を形成するキャップ（７）と、キャップ（７）の中央に開口の雌ねじ孔（８）と、雌ねじ孔（８）にねじ螺合された雄ねじ（９）とを有し、雄ねじ（９）の先端をスプリング押し板（６）に当接せしめて背後から雄ねじ（９）の先端で押し込み、他方、雄ねじ（９）の後端をキャップ（７）の背面から突出せしめて雄ねじ（９）の後端をハンドル（１０）に固定した圧力調整器１において、キャップ（７）とハンドル（１０）の間の雄ねじ（９）に雄ねじ（９）の軸径より太い内径を有する一定長の筒状リング（１１）を嵌合して、雄ねじ（９）のねじ込み量を一定値に規制したことを特徴とする二酸化炭素あるいは酸素のガス供給量を一定に維持する筒状リング（１１）を有するガス圧力調整器（１）。
【考案の詳細な説明】
【技術分野】
【０００１】
この考案は米、麦、大豆、果樹、花卉、野菜などの植物の育成用に一定圧力および一定濃度の二酸化炭素あるいは酸素を供給するために、二酸化炭素ボンベあるいは酸素ボンベから供給する二酸化炭素あるいは酸素の圧力を減圧するための圧力調整器の圧力調整弁の押し込み量を一定に維持してガス圧を一定に保持する補助具を有する圧力調整器に関する。
【背景技術】
【０００２】
米、麦、大豆、果樹、花卉、野菜などのＣ3植物は多くの栽培植物である。これらの植物は、太陽光の照度がある程度あるときには光呼吸を行い、二酸化炭素の濃度が現在の大気の３６０ｐｐｍより幾分高いときは、葉緑素を含む植物細胞で二酸化炭素と水から酸素を放出して光のエネルギーにより光合成する。
【０００３】
本考案の考案者は、先の出願で器具から二酸化炭素を供給する際に最も効果のあるのは光飽和以上とならない夜間に二酸化炭素の一定流量を施用すると最も効果のあることを開示している（例えば、特許文献１参照。）。
【０００４】
一方、これらの植物は生育するためには根から酸素を吸収する必要がある。すなわち、上記の二酸化炭素と異なり、これらの植物に適切な量の酸素は夜昼となく一日中にわたって必要とされる。
【０００５】
【特許文献１】特開２００６−３４５８２９号公報
【考案の開示】
【考案が解決しようとする課題】
【０００６】
本考案が解決しようとする課題は、米、麦、大豆、果樹、花卉、野菜などの植物の育成用に一定圧力および一定濃度の二酸化炭素あるいは酸素を供給するため、二酸化炭素ボンベあるいは酸素ボンベの供給口に取り付ける二酸化炭素あるいは酸素のガス圧を調整する圧力調整器において、圧力調整用のダイアフロムの受圧板の押し込み量を一定の値に保持する一定流量の二酸化炭素あるいは酸素を供給するための補助具を有する圧力調整器を提供することである。
【課題を解決するための手段】
【０００７】
本考案の課題を解決するための手段は、請求項１の考案では、筒状の本体１ａ内に装着した圧力調整用のダイアフラム２の受圧板の背後に配設のスプリング４と、スプリング４を内蔵する筒状のカバー５と、筒状のカバー５の背後に配設されてスプリング４を背後から押すスプリング押し板６と、筒状のカバー５の背面を形成するキャップ７と、キャップ７の中央に開口の雌ねじ孔８と、雌ねじ孔８にねじ螺合された雄ねじ９とを有し、雄ねじ９の先端をスプリング押し板６に当接せしめて背後から雄ねじ９の先端で押し込み、他方、雄ねじ９の後端をキャップ７の背面から外部に突出せしめて雄ねじ９の後端をハンドル１０に固定したガス圧力調整器１におけるものである。このガス圧力調整器１では、キャップ７とハンドル１０の間の雄ねじ９に雄ねじ９の軸径より太い内径を有する一定長の例えば塩ビ性の筒状リング１１を嵌合して、雄ねじ９のねじ込み量を一定値に規制したことを特徴とする二酸化炭素あるいは酸素のガス供給量を一定に維持する筒状リング１１を有するガス圧力調整器１である。
【考案の効果】
【０００８】
本考案は、上記の手段とすることで、例えば市販のガス供給用の圧力供給器において、簡単な構造の一定長の筒状リングからなる補助具をガス圧力調整器の流量調整用のハンドル軸に装着したことで、ハンドル軸の押し込み量を一定値に維持することが可能となり、一定圧力で一定流量の二酸化炭素あるいは酸素を供給することができるものとなった。この結果、本考案は従来のガス圧力調整器を用いて一定流量の二酸化炭素あるいは酸素を供給する装置に極めて容易に低コストで改変でき、その結果、この筒状リングを有する圧力調整器は、植物の育成用として優れた効果を奏するものである。
【考案を実施するための最良の形態】
【０００９】
本考案を実施するための最良の形態について、図面を参照して説明する。図１は市販のガス供給用の圧力調整器１の本体１ａを模式的に示す縦断面図である。図２は本考案の実施の形態を示し、圧力調整器１の雄ねじ９の部分に、筒状リング１１を嵌合して圧力調整用のダイアフロム２の受圧板３の押し込み量を一定の値に保持した縦断面図である。
【００１０】
この圧力調整器１は適切な量のガス供給用として、入口１２側の使用最高圧力は１５ＭＰａで出口１３側の使用最高圧力は０．１ＭＰａのものである。図１においてハンドル１０を時計の針の回転方向に回転する、すなわち雄ねじ９をキャップ７にねじ込むと出口１３からのガス出力は高出力となり、反時計の針方向に回転する、すなわち雄ねじ９を引き出すと低出力となる構造となっている。
【００１１】
上記の圧力調整器１は、雄ねじ９のキャップ７から外に突出する軸の長さは約３０ｍｍである。この圧力調整器１を本考案の手段のものとするために、圧力調整器１のキャップ７からハンドル１０を雄ねじ９を一体にして取り外す。この取り外した雄ねじ９の軸の長さは約３０ｍｍである。この取り外したハンドル１０の雄ねじ９の軸に、長さが例えば１９ｍｍで外径２４ｍｍで内径２１ｍｍの塩ビパイプからなる筒状リング１１を挿嵌し、この筒状リング１１を雄ねじ９に挿嵌したハンドル１０を、キャップ７の雌ねじ孔８に雄ねじ９をねじ入れれることで一体化し、図２に示すように、本考案の筒状リング１１を雄ねじに有する圧力調整器１とする。以上のように、本考案では、雄ねじ９の部分に筒状リング１１を挿嵌して有するものとしたことで、圧力調整用のダイアフロム２の受圧板３の押し込み量を一定の値に容易に設定して維持し得る機能を有する圧力調整器１が得られた。
【００１２】
上記の塩ビパイプあるいは金属パイプからなる筒状リング１１の長さは、実際に二酸化炭素を放出する植物を育成する圃場の大きさおよび植物の育成量あるいは酸素を補給する植物を育成する圃場の大きさおよび食物の育成量に合わせて、各種の長さのものを予め作製しておくことで、適宜圃場の大きさと育成する植物に適合して異なる筒状リング１１をそれらから選択し、直ぐに最適の押し込み量を極めて容易に得ることができる。植物に二酸化炭素あるいは酸素を供給するために、二酸化炭素ボンベあるいは酸素ボンベから圧力調整器１を経て圃場の植物に二酸化炭素あるいは酸素を与えるとき、二酸化炭素では圧力調整器１からポリジメチルシロキサン製チューブあるいは同様のゴム製チューブの二酸化炭素透過性のチューブを用い、植物の近くに二酸化炭素を放出して植物の葉に与えるものとする。酸素ではポリエチレン製のチューブなどのチューブを用い、植物の根の周りの土壌中に入れて酸素を放出して根に与えるものとする。
【図面の簡単な説明】
【００１３】
【図１】従来の市販の圧力調整器を切断して示す模式図である。
【図２】本考案の筒状リングを雄ねじに嵌挿した圧力調整器を切断して示す模式図である。
【符号の説明】
【００１４】
１  ガス圧力調整器
１ａ  本体
２  ダイアフラム
３  受圧板
４  スプリング
５  筒状のカバー
６  スプリング押し板
７  キャップ
８  雌ねじ孔
９  雄ねじ
１０  ハンドル
１１  筒状リング
１２  入口
１３  出口
【図１】
0003139244.tif 000003
【図２】
0003139244.tif 000004